(57)【要約】【課題】  遊技者を疲れさせることなく、大当たりへの期待感を遊技者に良好に抱かせることのできる遊技機の提供。【解決手段】  乱数が３〜２０であると、大当たり予想表示装置３はリーチラインを表示する（Ａ）。その内、乱数が５〜１１であると、そのリーチラインに合致した並びで、特別図柄表示装置１がリーチ表示を行う（Ｂ）。そして、乱数が７または８であれば、大当たり図柄を表示する（Ｃ）。このため、リーチラインが表示された時点→リーチ表示が行われた時点→そのリーチ表示が上記リーチラインに合致すると気付いた時点と、遊技者の期待感を順次高めていくことができる。しかも、大当たり図柄が表示される場合は上記リーチラインに合致する並びとなるので、遊技者はそのリーチラインに沿った特別図柄の変動のみに着目すればよい。【選択図】図７
2011005301.tif 000002
【特許請求の範囲】
【請求項１】
図柄変動信号に基づいて特別図柄を変動表示し、続いて上記特別図柄を停止させる特別図柄表示手段と、
上記特別図柄表示手段が上記停止によって表示する特別図柄が所定の大当たり図柄である可能性が高いことを事前に示唆する予想表示を行う予想表示手段と、
を備えた遊技機であって、
上記特別図柄表示手段が、上記大当たり図柄としての特別図柄の配列形態を複数備え、
上記予想表示手段が、表示される可能性の高い上記大当たり図柄に対応する上記特別図柄の配列形態を表示することを特徴とする遊技機。
【請求項２】
上記特別図柄表示手段が、上記所定の大当たり図柄を表示するに先立って、その大当たり図柄を構成する特別図柄の一部を上記複数の内いずれかの配列形態に沿って停止させるリーチ表示を行い、
上記予想表示手段が、上記リーチ表示に先立って上記配列形態の表示を行うことを特徴とする請求項１記載の遊技機。
【請求項３】
上記特別図柄表示手段が上記予想表示手段の表示に応じた配列形態で上記リーチ表示を行った場合、他の形態でリーチ表示を行った場合に比べて上記大当たり図柄へ移行する確率が高いことを特徴とする請求項２記載の遊技機。
【発明の詳細な説明】
【技術分野】
【０００１】
本発明は遊技機に関し、詳しくは、図柄変動信号に基づいて図柄を変動表示した後停止し、その停止後の図柄に応じて大当たりを発生する遊技機に関する。
【背景技術】
【０００２】
従来より、この種の遊技機の一例として種々のパチンコ機が知られている。例えば、始動入賞口に遊技球が入賞すると特別図柄表示手段（例えば液晶表示装置）における特別図柄が所定時間変動した後停止し、その停止後の図柄が大当たり図柄となったとき、大入賞口を開く等の特別遊技を実行するものが考えられている。
【０００３】
また、この種のパチンコ機の中には、大当たり図柄としての特別図柄の配列形態を複数備え、いずれの配列によって大当たり図柄が表示されたときでも、同様に特別遊技を実行するものも考えられている。例えば、特別図柄表示手段に縦３列横３列の数字を表示し、横の列のいずれか（３通りある）または斜めの列のいずれか（２通りある）でぞろ目となったときを大当たりとするものが考えられている。このようなパチンコ機では、遊技者に大当たりが発生しやすいような印象を与え、遊技者に一層大きな期待感を抱かせて遊技に熱中させることができる。
【発明の概要】
【発明が解決しようとする課題】
【０００４】
ところが、特別図柄の配列形態を複数備えた場合、遊技者は全ての配列形態を想定しながら図柄の変動を観察する必要があり、却って遊技者を疲れさせる場合がある。また、この種のパチンコ機では、大当たり図柄を構成する特別図柄の一部を上記複数の内いずれかの配列形態に沿って停止させるリーチ表示を行うものも考えられている。ところが、上記配列形態が多いとリーチ表示が分かりにくく、遊技者に期待感を抱かせるといったリーチ表示の効果が充分に発揮できない場合がある。また、リーチ表示から最終的に外れになる場合が多いと、リーチ表示が行われても遊技者はあまり期待感を抱かなくなる。
【０００５】
そこで、本発明は、遊技者を疲れさせることなく、大当たりへの期待感を遊技者に良好に抱かせることのできる遊技機を提供することを目的としてなされた。
【課題を解決するための手段】
【０００６】
上記目的を達するためになされた請求項１記載の発明は、図柄変動信号に基づいて特別図柄を変動表示し、続いて上記特別図柄を停止させる特別図柄表示手段と、上記特別図柄表示手段が上記停止によって表示する特別図柄が所定の大当たり図柄である可能性が高いことを事前に示唆する予想表示を行う予想表示手段と、を備えた遊技機であって、
上記特別図柄表示手段が、上記大当たり図柄としての特別図柄の配列形態を複数備え、上記予想表示手段が、表示される可能性の高い上記大当たり図柄に対応する上記特別図柄の配列形態を表示することを特徴としている。
【０００７】
このように構成された本発明では、特別図柄表示手段は、大当たり図柄としての特別図柄の配列形態を複数備えている。また、本発明は、大当たり図柄が表示される可能性の高いことを事前に示唆する予想表示を行う予想表示手段を備えており、この予想表示手段は、表示される可能性の高い上記大当たり図柄に対応する特別図柄の配列形態を表示する。
【０００８】
このため、予想表示手段が上記配列形態を表示すれば、遊技者には大当たりが発生する可能性が高いとして期待感を抱かせることができる。また、予想表示手段は上記配列形態を表示するので、その配列形態が表示された後は、遊技者はその配列形態に沿った特別図柄の変動のみに着目すればよい。従って、本発明では、遊技者を疲れさせることなく、大当たりへの期待感を遊技者に良好に抱かせることができる。
【０００９】
請求項２記載の発明は、請求項１記載の構成に加え、上記特別図柄表示手段が、上記所定の大当たり図柄を表示するに先立って、その大当たり図柄を構成する特別図柄の一部を上記複数の内いずれかの配列形態に沿って停止させるリーチ表示を行い、上記予想表示手段が、上記リーチ表示に先立って上記配列形態の表示を行うことを特徴としている。
【００１０】
本発明では、特別図柄表示手段のリーチ表示に先立って予想表示手段が上記配列形態の表示を行うので、リーチ表示を発見しやすくなり、遊技者に期待感を抱かせるといったそのリーチ表示の効果が良好に発揮できる。また、本発明では、予想表示手段が上記配列形態を表示した時点→リーチ表示が行われた時点→そのリーチ表示が予想表示手段の表示に応じた配列形態であると遊技者が気付いた時点と、遊技者の期待感を順次高めて行くことができる。従って、本発明では、請求項１記載の発明の効果に加えて、大当たりへの期待感を遊技者に一層良好に抱かせ、遊技に一層熱中させることができるといった効果が生じる。
【００１１】
請求項３記載の発明は、請求項２記載の構成に加え、上記特別図柄表示手段が上記予想表示手段の表示に応じた配列形態で上記リーチ表示を行った場合、他の形態でリーチ表示を行った場合に比べて上記大当たり図柄へ移行する確率が高いことを特徴としている。
【００１２】
本発明では、特別図柄表示手段が予想表示手段の表示に応じた配列形態でリーチ表示を行った場合、他の形態でリーチ表示を行った場合に比べて大当たり図柄へ移行する確率が高くなっている。このため、前述のように、予想表示手段が上記配列形態を表示した時点→リーチ表示が行われた時点→そのリーチ表示が予想表示手段の表示に応じた配列形態であると遊技者が気付いた時点と、遊技者の期待感を順次高めて行く効果が一層顕著になる。特に、三番目の「リーチ表示が予想表示手段の表示に応じた配列形態であると遊技者が気付いた時点」では、遊技者の期待感はピークに達する。従って、本発明では、請求項２記載の発明の効果に加えて、大当たりへの期待感を遊技者に一層良好に抱かせ、遊技に一層熱中させることができるといった効果が生じる。
【図面の簡単な説明】
【００１３】
【図１】本発明が適用されたパチンコ機の遊技盤中央部の構成を概略的に表す説明図である。
【図２】そのパチンコ機の制御系の構成を表すブロック図である。
【図３】その制御系で発生する大当たり抽選乱数の対応付けを表す説明図である。
【図４】その制御系で実行される大当たり予想表示装置リーチライン記録処理を表すフローチャートである。
【図５】その制御系で実行される大当たり予想表示装置表示実行処理を表すフローチャートである。
【図６】その制御系で実行される特別図柄表示処理を表すフローチャートである。
【図７】上記各処理に応じた特別図柄表示装置及び大当たり予想表示装置の動作を表す説明図である。
【発明を実施するための形態】
【００１４】
次に、本発明の実施の形態を図面と共に説明する。図１は、本発明が適用された遊技機としてのパチンコ機の、遊技盤中央部の構成を概略的に表す説明図である。図１に示すように、本実施の形態のパチンコ機は、遊技盤の中央に大型の液晶表示装置からなる特別図柄表示装置１（特別図柄表示手段に相当）を備え、その下方に、小型の液晶表示装置からなる大当たり予想表示装置３（予想表示手段に相当）を備えている。
【００１５】
また、大当たり予想表示装置３の上辺には、特別図柄表示装置１に表示された特別図柄を変動表示させる図柄変動信号を、遊技球の入賞時に発生するスタート穴５が形成されている。なお、特別図柄表示装置１は、縦３列横３列の数字を表示し、横の列のいずれか（３通りある）または斜めの列のいずれか（２通りある）でぞろ目となったときを大当たりとするものである。この大当たりの発生時には、図示しない大入賞口を開くなど、各種特別遊技が実行される。
【００１６】
図２に示すように、特別図柄表示装置１，大当たり予想表示装置３，及び，スタート穴５（厳密には内部に設けられた遊技球検出用センサ）は、電子制御回路９に接続されている。この電子制御回路９はＣＰＵ９ａ，ＲＯＭ９ｂ，ＲＡＭ９ｃを備えたマイクロコンピュータとして構成され、以下の処理を実行する。
【００１７】
先ず、ＣＰＵ９ａは、ＲＯＭ９ｂに格納されたプログラムに基づき、スタート穴５に遊技球が入賞して図柄変動信号が発生される毎に、大当たり抽選乱数を発生してＲＡＭ９ｃに記録する周知の処理を実行する。本実施の形態では、ＣＰＵ９ａは０〜７００の大当たり抽選乱数を発生するものとし、図３に示すように、０〜６がスーパーリーチに、７，８が大当たりに、９〜５０がリーチに、５１〜７００がノーマルに、それぞれ対応するものとする。
【００１８】
更に、ＣＰＵ９ａは、ＲＯＭ９０ｂに格納されたプログラムに基づき、上記記録された大当たり抽選乱数に応じて図４〜図６に示す各処理を実行する。図４は、大当たり予想表示装置３に表示すべきリーチライン（上記３通りの横の列または２通りの斜めの列のいずれか）を記録する大当たり予想表示装置リーチライン記録処理のフローチャートである。ＣＰＵ９ａは、パチンコ機の稼働中、所定タイミングでこの処理を繰り返し実行する。
【００１９】
処理を開始するとＣＰＵ９ａは、Ｓ１（Ｓはステップを表す：以下同様）にて、ＲＡＭ９ｃに記録されている最古の大当たり抽選乱数を入力する。続くＳ３では、その大当たり抽選乱数が前回の値から変更されたか否かを判断し、変更がない場合は（Ｓ３：ＮＯ）、再びＳ１へ移行する。一方、大当たり抽選乱数の変更があった場合は（Ｓ３：ＹＥＳ）、その大当たり抽選乱数が大当たり予想表示範囲の３〜２０（図３参照）であるか否かを判断し（Ｓ５）、大当たり予想表示範囲外の場合は（Ｓ５：ＮＯ）、再びＳ１へ移行する。
【００２０】
一方、上記大当たり抽選乱数が大当たり予想表示範囲内の場合は（Ｓ５：ＹＥＳ）、Ｓ７にてリーチラインを決定し、続くＳ９で、そのリーチラインをＲＡＭ９ｃの所定領域に追加記録してＳ１１へ移行する。なお、Ｓ７にてリーチラインを決定する方法は、新たに乱数等を発生して決定してもよく、大当たり抽選乱数に応じて予め設定されたリーチラインを読み込んでもよい。Ｓ１１では、上記決定されたリーチラインを上記大当たり抽選乱数に付加してＳ１へ移行する。
【００２１】
以上の処理により、スタート穴５への入賞に応じてＲＡＭ９ｃの所定領域に記録される大当たり抽選乱数を最古のものから順に入力し（Ｓ１）、その大当たり抽選乱数が大当たり予想表示範囲内の場合は（Ｓ５：ＹＥＳ）、Ｓ７にて決定したリーチラインをＲＡＭ９ｃに追加記録し（Ｓ９）、更にそのリーチラインを上記大当たり抽選乱数に付加することができる（Ｓ１１）。
【００２２】
次に、図５は、大当たり予想表示装置３による表示を実際に実行する大当たり予想表示装置表示実行処理を表すフローチャートである。ＣＰＵ９ａがこの処理を開始すると、先ず、Ｓ２１にて、ＲＡＭ９ｃに記録されている最古のリーチラインを入力し、そのリーチラインをＲＡＭ９ｃから削除する。続くＳ２３では、入力したリーチラインを５秒間表示して、一旦処理を終了する。この処理により、前述のＳ７で決定されたリーチラインを大当たり予想表示装置３に表示することができる。
【００２３】
続いて、図６は、特別図柄表示装置１による表示を実行する特別図柄表示処理を表すフローチャートである。ＣＰＵ９ａがこの処理を開始すると、先ず、Ｓ３１にて、ＲＡＭ９ｃに記録されている最古の大当たり抽選乱数を入力し、その乱数をＲＡＭ９ｃから削除する。続くＳ３３では、その大当たり抽選乱数にリーチラインが付加されているか否か（Ｓ１１参照）を判断する。リーチラインが付加されている場合は（Ｓ３３：ＹＥＳ）、そのリーチラインに合致するように、上記大当たり抽選乱数に応じた大当たり図柄，スーパーリーチ図柄，またはリーチ図柄を作成し（Ｓ３５）、Ｓ３７にてその図柄の表示を実行する。なお、Ｓ３５，Ｓ３７では、上記大当たり抽選乱数が特別図柄並び合わせ範囲の５〜１１からはずれている場合は（図３参照）、付加されたリーチラインに拘わらず任意の並びでスーパーリーチ図柄等を作成し、表示する。
【００２４】
一方、大当たり抽選乱数にリーチラインが付加されていない場合は（Ｓ３３：ＮＯ）、任意に決定したリーチラインに合致するように、上記大当たり抽選乱数に応じたスーパーリーチ図柄，リーチ図柄，またはノーマル図柄を作成し（Ｓ３９）、前述のＳ３７にてその図柄の表示を実行する。
【００２５】
以上の処理による特別図柄表示装置１、及び、大当たり予想表示装置３の動作を、図７を用いて説明する。スタート穴５への入賞に応じて記録された最古の大当たり抽選乱数が３〜２０のいずれかであると、図７（Ａ）に例示するように、大当たり予想表示装置３にはリーチラインが５秒間表示される。この場合、２／１８、すなわち１／９の確率で大当たりが発生することが分かる。
【００２６】
図３からも明らかなように、大当たり予想表示装置３がこのような表示を行った場合は、続いて少なくともリーチ表示がなされる。リーチ表示へ移行する前の変動表示継続時間に比べて大当たり予想表示装置３の表示は５秒と短いので、必ず大当たり予想表示装置３の表示の方がリーチ表示に先行する。そして、図７（Ｂ）に示すように、そのリーチ表示の並びが大当たり予想表示装置３に表示されたリーチラインと合致した場合、約２／７の確率で大当たりが発生することが分かる。
【００２７】
これは、大当たり抽選乱数が３，４または１２〜２０の場合にＳ３５で任意に決定されたリーチラインが、大当たり予想表示装置３に表示されたものと偶然一致する場合を無視すれば、図７（Ｂ）のような状態になることは、大当たり抽選乱数が５〜１１のいずれかであることを支持するからである。
【００２８】
そして、大当たり抽選乱数が５または６であればスーパーリーチで終了し、９，１０，１１のいずれかであればノーマルリーチで終了し、７または８であれば、図７（Ｃ）に示すように大当たり図柄が表示される。
【００２９】
このように、本実施の形態では、大当たり予想表示装置３がリーチラインを表示した時点→リーチ表示が行われた時点→そのリーチ表示が大当たり予想表示装置３に表示されたリーチラインに合致すると遊技者が気付いた時点と、遊技者の期待感を順次高めていくことができる。従って、本実施の形態では、大当たりへの期待感を遊技者に極めて良好に抱かせ、遊技に熱中させることができる。また、少なくとも大当たり図柄が表示される場合は大当たり予想表示装置３に表示されたリーチラインに合致する並びとなるので、遊技者はそのリーチラインに沿った特別図柄の変動のみに着目すればよい。従って、本実施の形態のようにリーチラインが多い場合でも、遊技者を疲れさせることもない。
【００３０】
なお、本発明は上記実施の形態に何等限定されるものではなく、本発明の要旨を逸脱しない範囲で種々の形態で実施することができる。例えば、リーチラインは横または斜めの線に限らず、ジグザグ，四隅等種々の形態が考えられる。また、上記実施の形態では大当たり予想表示装置３を特別図柄表示装置１とは別体に設けているが、両者を一体に設けてもよい。但し、この場合も、大当たり予想表示装置３としての表示は特別図柄表示装置１としてのリーチ表示等とは明確に区別できるようにすることが望ましい。具体的には、例えば、特別図柄表示装置１の一角（例えば四隅のいずれかまたは中央）に、大当たり予想表示装置３としての小さい表示枠を５秒間だけ形成してもよい。この場合、表示装置の個数を減らして遊技機（パチンコ機）のコストダウンを図ることができる。
【００３１】
更に、上記実施の形態では、大当たり図柄が表示される場合は必ず、大当たり予想表示装置３に表示されたリーチラインに合致する並びとなるようにしているが、極まれに（例えば通常の大当たりが発生する確率の１０〜２０分の１の確率で）、大当たり予想表示装置３に表示されたリーチラインとは異なる並びで大当たり図柄を表示してもよい。この場合、次のような効果が発生する。すなわち、大当たり予想表示装置３にリーチラインが表示された後、そのリーチラインとは合致しない並びでリーチ表示がなされると、遊技者は大当たり図柄への移行がないものとして諦めてしまう。ところが、このように一旦諦めた後に、上記表示されたリーチラインとは異なる並びで大当たり図柄が表示されれば、遊技者の喜びは一層大きなものとなる。
【００３２】
また、極まれに、リーチラインを表示することなく予告なしで大当たり図柄を表示してもよく、この場合も、遊技者の喜びは極めて大きなものとなる。逆に、リーチラインを表示したにも拘わらずリーチ表示にすら移行しない場合がまれにあってもよい。
【００３３】
また、上記実施の形態では、スタート穴５への入賞球に対応する大当たり予想表示装置３のリーチラインの表示時期は、特別図柄表示装置１にて当該スタート穴５への入賞球に対応する図柄の変動表示がリーチ表示となるまでに、５秒間表示するようにしたが、これは次のようにしてもよい。
【００３４】
すなわち、スタート穴５への入賞球に対応して大たり予想表示装置３がリーチラインの表示を開始する時期は、特別図柄表示装置１が当該スタート穴５への入賞球に対応する図柄の変動表示を開始するときと略同じ若しくはそれより少し後とし、該リーチラインの表示を止める時期は、特別図柄表示装置１が当該スタート穴５への入賞球に対応する図柄の変動表示がリーチ表示となったとき若しくは停止・確定したときと略同じとする。
【００３５】
このようにすれば、スタート穴５への入賞記憶が複数あっても、大当たり予想表示装置３のリーチラインの表示と、特別図柄表示装置１の変動表示とがマッチし、遊技者はリーチラインが表示されたときは、特別図柄表示装置１にて現在変動中の図柄が少なくともリーチ表示になることが容易に認識できると共に、特別図柄表示装置１に表示されたリーチの図柄態様とリーチラインとを容易に比較することができ、遊技性の向上につながるという顕著な効果を奏する。
【００３６】
また更に、本発明は、パチンコ機に限らず、パチスロやファミコン等、種々の遊技機に適用できることはいうまでもない。
【符号の説明】
【００３７】
１・・・特別図柄表示装置            ３・・・大当たり予想表示装置
５・・・スタート穴                  ９・・・電子制御回路
【図１】
2011005301.tif 000003
【図２】
2011005301.tif 000004
【図３】
2011005301.tif 000005
【図４】
2011005301.tif 000006
【図５】
2011005301.tif 000007
【図６】
2011005301.tif 000008
【図７】
2011005301.tif 000009
【手続補正書】
【提出日】平成22年10月25日(2010.10.25)
【手続補正１】
【補正対象書類名】明細書
【補正対象項目名】全文
【補正方法】変更
【補正の内容】
【発明の詳細な説明】
【技術分野】
【０００１】
本発明は遊技機に関し、詳しくは、図柄変動信号に基づいて図柄を変動表示した後停止し、その停止後の図柄に応じて大当たりを発生する遊技機に関する。
【背景技術】
【０００２】
従来より、この種の遊技機の一例として種々のパチンコ機が知られている。例えば、始動入賞口に遊技球が入賞すると図柄表示手段（例えば液晶表示装置）における図柄が所定時間変動した後停止し、その停止後の図柄が大当たり図柄となったとき、大入賞口を開く等の特別遊技を実行するものが考えられている。
【０００３】
また、この種のパチンコ機の中には、大当たり図柄としての図柄の配列形態を複数備え、いずれの配列によって大当たり図柄が表示されたときでも、同様に特別遊技を実行するものも考えられている。例えば、図柄表示手段に縦３列横３列の数字を表示し、横の列のいずれか（３通りある）または斜めの列のいずれか（２通りある）でぞろ目となったときを大当たりとするものが考えられている。このようなパチンコ機では、遊技者に大当たりが発生しやすいような印象を与え、遊技者に一層大きな期待感を抱かせて遊技に熱中させることができる。
【発明の概要】
【発明が解決しようとする課題】
【０００４】
ところが、図柄の配列形態を複数備えた場合、遊技者は全ての配列形態を想定しながら図柄の変動を観察する必要があり、却って遊技者を疲れさせる場合がある。また、この種のパチンコ機では、大当たり図柄を構成する図柄の一部を上記複数の内いずれかの配列形態に沿って停止させるリーチ表示を行うものも考えられている。ところが、上記配列形態が多いとリーチ表示が分かりにくく、遊技者に期待感を抱かせるといったリーチ表示の効果が充分に発揮できない場合がある。また、リーチ表示から最終的に外れになる場合が多いと、リーチ表示が行われても遊技者はあまり期待感を抱かなくなる。
【０００５】
そこで、本発明は、遊技者を疲れさせることなく、大当たりへの期待感を遊技者に良好に抱かせることのできる遊技機を提供することを目的としてなされた。
【課題を解決するための手段】
【０００６】
上記目的を達するためになされた請求項１記載の発明は、図柄変動信号に基づいて図柄を変動表示し、続いて複数のラインに沿って前記図柄を並べて停止表示させる図柄表示手段と、前記図柄表示手段が、前記ラインに沿って、特定の組合せの前記図柄を並べた大当たり図柄を構成する前記図柄の組合せの一部を停止表示するリーチ表示を行った後に、前記大当り図柄を停止表示した場合、大当たり遊技を実行する大当遊技実行手段と、前記ラインのうち、前記リーチ表示が行われる特定のラインを指定するライン指定手段と、を備え、前記ライン指定手段は、前記図柄表示手段とは異なる画面上に前記特定のラインを表示して、前記特定のラインを指定していることを特徴とする。
【０００７】
本発明は、図柄変動信号に基づいて図柄を変動表示し、続いて複数のラインに沿って図柄を並べて停止表示させる図柄表示手段を備えている。また、ラインに沿ってリーチ表示を行った後に、大当り図柄を停止表示した場合、大当たり遊技を実行している。
そして本発明では、ライン指定手段が、図柄表示手段とは異なる画面上に、リーチ表示が行われる特定のラインを表示して、特定のラインを指定している。
【０００８】
このため、ライン指定手段により特定のラインが表示されれば、遊技者には大当たりが発生する可能性が高いとして期待感を抱かせることができる。また、ライン指定手段により特定のラインが表示されれば、遊技者はそのラインに沿った図柄の変動のみに着目すればよい。従って、本発明では、遊技者を疲れさせることなく、大当たりへの期待感を遊技者に良好に抱かせることができる。
【０００９】
請求項２記載の発明は、図柄変動信号に基づいて図柄を変動表示し、続いて複数のラインに沿って前記図柄を並べて停止表示させる図柄表示手段と、前記図柄表示手段が、前記ラインに沿って、特定の組合せの前記図柄を並べた大当たり図柄を構成する前記図柄の組合せの一部を停止表示するリーチ表示を行った後に、前記大当り図柄を停止表示した場合、大当たり遊技を実行する大当遊技実行手段と、前記ラインのうち、前記リーチ表示が行われる特定のラインを指定するライン指定手段と、を備え、前記ライン指定手段は、前記図柄を表示する画面の四隅のいずれか又は中央に、前記特定のラインを表示して、前記特定のラインを指定していることを特徴とする。
【００１０】
本発明は、図柄変動信号に基づいて図柄を変動表示し、続いて複数のラインに沿って図柄を並べて停止表示させる図柄表示手段を備えている。また、ラインに沿ってリーチ表示を行った後に、大当り図柄を停止表示した場合、大当たり遊技を実行している。
そして本発明では、ライン指定手段が、図柄を表示する画面の四隅のいずれか又は中央に、特定のラインを表示して、特定のラインを指定している。
このため、ライン指定手段により特定のラインが表示されれば、遊技者には大当たりが発生する可能性が高いとして期待感を抱かせることができる。また、ライン指定手段により特定のラインが表示されれば、遊技者はそのラインに沿った図柄の変動のみに着目すればよい。従って、本発明では、遊技者を疲れさせることなく、大当たりへの期待感を遊技者に良好に抱かせることができる。
【００１１】
【００１２】
【図面の簡単な説明】
【００１３】
【図１】本発明が適用されたパチンコ機の遊技盤中央部の構成を概略的に表す説明図である。
【図２】そのパチンコ機の制御系の構成を表すブロック図である。
【図３】その制御系で発生する大当たり抽選乱数の対応付けを表す説明図である。
【図４】その制御系で実行される大当たり予想表示装置リーチライン記録処理を表すフローチャートである。
【図５】その制御系で実行される大当たり予想表示装置表示実行処理を表すフローチャートである。
【図６】その制御系で実行される図柄表示処理を表すフローチャートである。
【図７】上記各処理に応じた図柄表示装置及び大当たり予想表示装置の動作を表す説明図である。
【発明を実施するための形態】
【００１４】
次に、本発明の実施の形態を図面と共に説明する。図１は、本発明が適用された遊技機としてのパチンコ機の、遊技盤中央部の構成を概略的に表す説明図である。図１に示すように、本実施の形態のパチンコ機は、遊技盤の中央に大型の液晶表示装置からなる図柄表示装置１（図柄表示手段に相当）を備え、その下方に、小型の液晶表示装置からなる大当たり予想表示装置３（予想表示手段に相当）を備えている。
【００１５】
また、大当たり予想表示装置３の上辺には、図柄表示装置１に表示された図柄を変動表示させる図柄変動信号を、遊技球の入賞時に発生するスタート穴５が形成されている。なお、図柄表示装置１は、縦３列横３列の数字を表示し、横の列のいずれか（３通りある）または斜めの列のいずれか（２通りある）でぞろ目となったときを大当たりとするものである。この大当たりの発生時には、図示しない大入賞口を開くなど、各種特別遊技が実行される。
【００１６】
図２に示すように、図柄表示装置１，大当たり予想表示装置３，及び，スタート穴５（厳密には内部に設けられた遊技球検出用センサ）は、電子制御回路９に接続されている。この電子制御回路９はＣＰＵ９ａ，ＲＯＭ９ｂ，ＲＡＭ９ｃを備えたマイクロコンピュータとして構成され、以下の処理を実行する。
【００１７】
先ず、ＣＰＵ９ａは、ＲＯＭ９ｂに格納されたプログラムに基づき、スタート穴５に遊技球が入賞して図柄変動信号が発生される毎に、大当たり抽選乱数を発生してＲＡＭ９ｃに記録する周知の処理を実行する。本実施の形態では、ＣＰＵ９ａは０〜７００の大当たり抽選乱数を発生するものとし、図３に示すように、０〜６がスーパーリーチに、７，８が大当たりに、９〜５０がリーチに、５１〜７００がノーマルに、それぞれ対応するものとする。
【００１８】
更に、ＣＰＵ９ａは、ＲＯＭ９０ｂに格納されたプログラムに基づき、上記記録された大当たり抽選乱数に応じて図４〜図６に示す各処理を実行する。図４は、大当たり予想表示装置３に表示すべきリーチライン（上記３通りの横の列または２通りの斜めの列のいずれか）を記録する大当たり予想表示装置リーチライン記録処理のフローチャートである。ＣＰＵ９ａは、パチンコ機の稼働中、所定タイミングでこの処理を繰り返し実行する。
【００１９】
処理を開始するとＣＰＵ９ａは、Ｓ１（Ｓはステップを表す：以下同様）にて、ＲＡＭ９ｃに記録されている最古の大当たり抽選乱数を入力する。続くＳ３では、その大当たり抽選乱数が前回の値から変更されたか否かを判断し、変更がない場合は（Ｓ３：ＮＯ）、再びＳ１へ移行する。一方、大当たり抽選乱数の変更があった場合は（Ｓ３：ＹＥＳ）、その大当たり抽選乱数が大当たり予想表示範囲の３〜２０（図３参照）であるか否かを判断し（Ｓ５）、大当たり予想表示範囲外の場合は（Ｓ５：ＮＯ）、再びＳ１へ移行する。
【００２０】
一方、上記大当たり抽選乱数が大当たり予想表示範囲内の場合は（Ｓ５：ＹＥＳ）、Ｓ７にてリーチラインを決定し、続くＳ９で、そのリーチラインをＲＡＭ９ｃの所定領域に追加記録してＳ１１へ移行する。なお、Ｓ７にてリーチラインを決定する方法は、新たに乱数等を発生して決定してもよく、大当たり抽選乱数に応じて予め設定されたリーチラインを読み込んでもよい。Ｓ１１では、上記決定されたリーチラインを上記大当たり抽選乱数に付加してＳ１へ移行する。
【００２１】
以上の処理により、スタート穴５への入賞に応じてＲＡＭ９ｃの所定領域に記録される大当たり抽選乱数を最古のものから順に入力し（Ｓ１）、その大当たり抽選乱数が大当たり予想表示範囲内の場合は（Ｓ５：ＹＥＳ）、Ｓ７にて決定したリーチラインをＲＡＭ９ｃに追加記録し（Ｓ９）、更にそのリーチラインを上記大当たり抽選乱数に付加することができる（Ｓ１１）。
【００２２】
次に、図５は、大当たり予想表示装置３による表示を実際に実行する大当たり予想表示装置表示実行処理を表すフローチャートである。ＣＰＵ９ａがこの処理を開始すると、先ず、Ｓ２１にて、ＲＡＭ９ｃに記録されている最古のリーチラインを入力し、そのリーチラインをＲＡＭ９ｃから削除する。続くＳ２３では、入力したリーチラインを５秒間表示して、一旦処理を終了する。この処理により、前述のＳ７で決定されたリーチラインを大当たり予想表示装置３に表示することができる。
【００２３】
続いて、図６は、図柄表示装置１による表示を実行する図柄表示処理を表すフローチャートである。ＣＰＵ９ａがこの処理を開始すると、先ず、Ｓ３１にて、ＲＡＭ９ｃに記録されている最古の大当たり抽選乱数を入力し、その乱数をＲＡＭ９ｃから削除する。続くＳ３３では、その大当たり抽選乱数にリーチラインが付加されているか否か（Ｓ１１参照）を判断する。リーチラインが付加されている場合は（Ｓ３３：ＹＥＳ）、そのリーチラインに合致するように、上記大当たり抽選乱数に応じた大当たり図柄，スーパーリーチ図柄，またはリーチ図柄を作成し（Ｓ３５）、Ｓ３７にてその図柄の表示を実行する。なお、Ｓ３５，Ｓ３７では、上記大当たり抽選乱数が図柄並び合わせ範囲の５〜１１からはずれている場合は（図３参照）、付加されたリーチラインに拘わらず任意の並びでスーパーリーチ図柄等を作成し、表示する。
【００２４】
一方、大当たり抽選乱数にリーチラインが付加されていない場合は（Ｓ３３：ＮＯ）、任意に決定したリーチラインに合致するように、上記大当たり抽選乱数に応じたスーパーリーチ図柄，リーチ図柄，またはノーマル図柄を作成し（Ｓ３９）、前述のＳ３７にてその図柄の表示を実行する。
【００２５】
以上の処理による図柄表示装置１、及び、大当たり予想表示装置３の動作を、図７を用いて説明する。スタート穴５への入賞に応じて記録された最古の大当たり抽選乱数が３〜２０のいずれかであると、図７（Ａ）に例示するように、大当たり予想表示装置３にはリーチラインが５秒間表示される。この場合、２／１８、すなわち１／９の確率で大当たりが発生することが分かる。
【００２６】
図３からも明らかなように、大当たり予想表示装置３がこのような表示を行った場合は、続いて少なくともリーチ表示がなされる。リーチ表示へ移行する前の変動表示継続時間に比べて大当たり予想表示装置３の表示は５秒と短いので、必ず大当たり予想表示装置３の表示の方がリーチ表示に先行する。そして、図７（Ｂ）に示すように、そのリーチ表示の並びが大当たり予想表示装置３に表示されたリーチラインと合致した場合、約２／７の確率で大当たりが発生することが分かる。
【００２７】
これは、大当たり抽選乱数が３，４または１２〜２０の場合にＳ３５で任意に決定されたリーチラインが、大当たり予想表示装置３に表示されたものと偶然一致する場合を無視すれば、図７（Ｂ）のような状態になることは、大当たり抽選乱数が５〜１１のいずれかであることを支持するからである。
【００２８】
そして、大当たり抽選乱数が５または６であればスーパーリーチで終了し、９，１０，１１のいずれかであればノーマルリーチで終了し、７または８であれば、図７（Ｃ）に示すように大当たり図柄が表示される。
【００２９】
このように、本実施の形態では、大当たり予想表示装置３がリーチラインを表示した時点→リーチ表示が行われた時点→そのリーチ表示が大当たり予想表示装置３に表示されたリーチラインに合致すると遊技者が気付いた時点と、遊技者の期待感を順次高めていくことができる。従って、本実施の形態では、大当たりへの期待感を遊技者に極めて良好に抱かせ、遊技に熱中させることができる。また、少なくとも大当たり図柄が表示される場合は大当たり予想表示装置３に表示されたリーチラインに合致する並びとなるので、遊技者はそのリーチラインに沿った図柄の変動のみに着目すればよい。従って、本実施の形態のようにリーチラインが多い場合でも、遊技者を疲れさせることもない。
【００３０】
なお、本発明は上記実施の形態に何等限定されるものではなく、本発明の要旨を逸脱しない範囲で種々の形態で実施することができる。例えば、リーチラインは横または斜めの線に限らず、ジグザグ，四隅等種々の形態が考えられる。また、上記実施の形態では大当たり予想表示装置３を図柄表示装置１とは別体に設けているが、両者を一体に設けてもよい。但し、この場合も、大当たり予想表示装置３としての表示は図柄表示装置１としてのリーチ表示等とは明確に区別できるようにすることが望ましい。具体的には、例えば、図柄表示装置１の一角（例えば四隅のいずれかまたは中央）に、大当たり予想表示装置３としての小さい表示枠を５秒間だけ形成してもよい。この場合、表示装置の個数を減らして遊技機（パチンコ機）のコストダウンを図ることができる。
【００３１】
更に、上記実施の形態では、大当たり図柄が表示される場合は必ず、大当たり予想表示装置３に表示されたリーチラインに合致する並びとなるようにしているが、極まれに（例えば通常の大当たりが発生する確率の１０〜２０分の１の確率で）、大当たり予想表示装置３に表示されたリーチラインとは異なる並びで大当たり図柄を表示してもよい。この場合、次のような効果が発生する。すなわち、大当たり予想表示装置３にリーチラインが表示された後、そのリーチラインとは合致しない並びでリーチ表示がなされると、遊技者は大当たり図柄への移行がないものとして諦めてしまう。ところが、このように一旦諦めた後に、上記表示されたリーチラインとは異なる並びで大当たり図柄が表示されれば、遊技者の喜びは一層大きなものとなる。
【００３２】
また、極まれに、リーチラインを表示することなく予告なしで大当たり図柄を表示してもよく、この場合も、遊技者の喜びは極めて大きなものとなる。逆に、リーチラインを表示したにも拘わらずリーチ表示にすら移行しない場合がまれにあってもよい。
【００３３】
また、上記実施の形態では、スタート穴５への入賞球に対応する大当たり予想表示装置３のリーチラインの表示時期は、図柄表示装置１にて当該スタート穴５への入賞球に対応する図柄の変動表示がリーチ表示となるまでに、５秒間表示するようにしたが、これは次のようにしてもよい。
【００３４】
すなわち、スタート穴５への入賞球に対応して大当たり予想表示装置３がリーチラインの表示を開始する時期は、図柄表示装置１が当該スタート穴５への入賞球に対応する図柄の変動表示を開始するときと略同じ若しくはそれより少し後とし、該リーチラインの表示を止める時期は、図柄表示装置１が当該スタート穴５への入賞球に対応する図柄の変動表示がリーチ表示となったとき若しくは停止・確定したときと略同じとする。
【００３５】
このようにすれば、スタート穴５への入賞記憶が複数あっても、大当たり予想表示装置３のリーチラインの表示と、図柄表示装置１の変動表示とがマッチし、遊技者はリーチラインが表示されたときは、図柄表示装置１にて現在変動中の図柄が少なくともリーチ表示になることが容易に認識できると共に、図柄表示装置１に表示されたリーチの図柄態様とリーチラインとを容易に比較することができ、遊技性の向上につながるという顕著な効果を奏する。
【００３６】
また更に、本発明は、パチンコ機に限らず、パチスロやファミコン等、種々の遊技機に適用できることはいうまでもない。
【符号の説明】
【００３７】
１・・・図柄表示装置            ３・・・大当たり予想表示装置
５・・・スタート穴                  ９・・・電子制御回路
【手続補正２】
【補正対象書類名】特許請求の範囲
【補正対象項目名】全文
【補正方法】変更
【補正の内容】
【特許請求の範囲】
【請求項１】
図柄変動信号に基づいて図柄を変動表示し、続いて複数のラインに沿って前記図柄を並べて停止表示させる図柄表示手段と、
前記図柄表示手段が、前記ラインに沿って、特定の組合せの前記図柄を並べた大当たり図柄を構成する前記図柄の組合せの一部を停止表示するリーチ表示を行った後に、前記大当り図柄を停止表示した場合、大当たり遊技を実行する大当遊技実行手段と、
前記ラインのうち、前記リーチ表示が行われる特定のラインを指定するライン指定手段と、
を備え、
前記ライン指定手段は、
前記図柄表示手段とは異なる画面上に前記特定のラインを表示して、前記特定のラインを指定していることを特徴とする遊技機。
【請求項２】
図柄変動信号に基づいて図柄を変動表示し、続いて複数のラインに沿って前記図柄を並べて停止表示させる図柄表示手段と、
前記図柄表示手段が、前記ラインに沿って、特定の組合せの前記図柄を並べた大当たり図柄を構成する前記図柄の組合せの一部を停止表示するリーチ表示を行った後に、前記大当り図柄を停止表示した場合、大当たり遊技を実行する大当遊技実行手段と、
前記ラインのうち、前記リーチ表示が行われる特定のラインを指定するライン指定手段と、
を備え、
前記ライン指定手段は、
前記図柄を表示する画面の四隅のいずれか又は中央に、前記特定のラインを表示して、前記特定のラインを指定していることを特徴とする遊技機。